(57)【要約】      （修正有）【課題】型の種類を増加して、造形できる粘土魂の形状の種類を増やすことができると共に、粘土魂を押し出して造形する作業を簡便化しうる粘土押し出し器を提供する。【解決手段】基板部１２と、上記基板部に対し変位可能な操作部１３と、上記基板部に形成され、粘土の投入口１９と排出口を両端に有する粘土押出孔部１８と、上記操作部に形成され、上記粘土押出孔部内に挿入可能で、上記粘土押出孔部内に上記投入口から収納された粘土を上記排出口から押し出し可能な粘土突き出し部２２とが設けられた粘土押し出し器１１であって、上記基板部に対し着脱可能で、互いに形状が異なる複数の型孔が形成された型プレートが備えられ、上記型プレートは、上記粘土押出孔部における上記排出口に上記型孔の一つを合致させた状態で上記基板部に装着しうるように形成されている。【選択図】図１
0003130280.tif 000002
【実用新案登録請求の範囲】
【請求項１】
基板部と、上記基板部に対し変位可能な操作部と、
上記基板部に形成され、粘土の投入口と排出口を両端に有する粘土押出孔部と、
上記操作部に形成され、上記粘土押出孔部内に挿入可能で、上記粘土押出孔部内に上記投入口から収納された粘土を上記排出口から押し出し可能な粘土突き出し部とが設けられた粘土押し出し器であって、
上記基板部に対し着脱可能で、互いに形状が異なる複数の型孔が形成された型プレートが備えられ、
上記型プレートは、上記粘土押出孔部における上記排出口に上記型孔の一つを合致させた状態で上記基板部に装着しうるように形成されていることを特徴とする粘土押し出し器。
【請求項２】
上記操作部として操作レバーが設けられ、上記操作レバーは一端部が、上記基板部の上面の一端に設けられた突出部に、上下方向に回動可能に取り付けられ、
上記押出孔部は、上記投入口が斜め上方を向き、上記排出口が横向きとなるように、長さ方向に沿ってカーブした状態に上記突出部に形成され、
上記粘土突き出し部は、上記操作レバーの下面部に突設され、上記押出孔部に挿入しうるように全体が湾曲するように形成されていることを特徴とする請求項１記載の粘土押し出し器。
【請求項３】
上記基板部の上面部において上記突出部の側方には、型部材を係合しうる型固定部が設けられるとともに、上記型固定部に配置される型部材が備えられ、
上記型部材は、ケース状に形成された粘土収納部と蓋部とにより構成され、上記蓋部は上記操作レバーを下動させた際に押下されて粘土を押圧しうるように形成されていることを特徴とする請求項１又は２のいずれか1項に記載された粘土押し出し器。
【請求項４】
上記型プレートを保管しうる型プレート収納部が上記基板部の下面側に設けられ、上記型プレート収納部を被覆しうる底カバーが上記基板部に着脱可能に取り付けられ、
上記底カバーには、互いに形状が異なる複数の凹状の型部が形成されていることを特徴とする請求項１〜３のいずれか1項に記載された粘土押し出し器。
【請求項５】
上記底カバーは上記基板部とは異なる滑りにくい樹脂により形成されていることを特徴とする請求項４記載の粘土押し出し器。
【考案の詳細な説明】
【技術分野】
【０００１】
本考案は粘土押し出し器、特に、粘土で物を造形する場合に、粘土塊を型により様々な形状に変形させて、造形作業を容易化しうる粘土押し出し器に関する。
【背景技術】
【０００２】
学童等が粘土で物を造形する場合、粘土塊で様々な形状の部位を形成し、それら様々な部位を合体させて全体を形成することになる。
粘土魂を様々な形状に形成する場合、その粘土塊の造形作業を手作業で行おうとすると、時間がかかり、かつ望み通りの形状を造形しにくいという不具合がある。
【０００３】
そこで、型を利用して、様々な形状の粘土塊を形成しうる粘土押し出し器なるものが考案されている。
【０００４】
従来の粘土押し出し器は、型孔が設けられ、その型孔に収納された粘土魂を突き出し部材で押し出すことにより、型孔と断面が同形の粘土魂を形成するように構成されている。  
しかしながら、型孔を多数形成することは構造上困難であることから、造形できる形状の種類には限度があった。
【０００５】
また、従来の粘土押し出し器は、型孔へ粘土魂を投入してから、上記突き出し部材を操作して粘土魂を押し出すという一連の作業が煩雑で、使い勝手が悪いという不具合があった。
【０００６】
本出願人は上記の不具合を解消しうる粘土押し出し器について調査したが、関連する先行技術文献を見出すことはできなかった。
【考案の開示】
【考案が解決しようとする課題】
【０００７】
そこで本考案の課題は、型の種類を増加して、造形できる粘土魂の形状の種類を増やすことができると共に、粘土魂を押し出して造形する作業を簡便化しうる粘土押し出し器を提供することにある。
【課題を解決するための手段】
【０００８】
上記課題を解決するために、本考案に係る粘土押し出し器は、基板部と、上記基板部に対し変位可能な操作部と、上記基板部に形成され、粘土の投入口と排出口を両端に有する粘土押出孔部と、上記操作部に形成され、上記粘土押出孔部内に挿入可能で、上記粘土押出孔部内に上記投入口から収納された粘土を上記排出口から押し出し可能な粘土突き出し部とが設けられた粘土押し出し器であって、上記基板部に対し着脱可能で、互いに形状が異なる複数の型孔が形成された型プレートが備えられ、上記型プレートは、上記粘土押出孔部における上記排出口に上記型孔の一つを合致させた状態で上記基板部に装着しうるように形成されていることを特徴とする。
【０００９】
すなわち、本考案に係る上記粘土押し出し器は、上記型プレートに形成された上記型孔を上記基板部に設けられた上記排出口に合致させた状態で、上記粘土押出孔部に粘土魂を収納してから、上記操作部で上記突き出し部を上記粘土押出孔部に挿入することにより、上記排出口から押し出された粘土魂を上記型プレートの型孔に通過させて、上記型孔と断面形状が同形の粘土魂を容易に形成することができる。
【００１０】
また、本考案に係る上記粘土押し出し器にあっては、上記操作部として操作レバーが設けられ、上記操作レバーは一端部が、上記基板部の上面の一端に設けられた突出部に、上下方向に回動可能に取り付けられ、上記粘土押出孔部は、上記投入口が斜め上方を向き、上記排出口が横向きとなるように、長さ方向に沿ってカーブした状態に上記突出部に形成され、上記粘土突き出し部は、上記操作レバーの下面部に突設され、上記押出孔部に挿入しうるように全体が湾曲するように形成されていることを特徴とする。
【００１１】
すなわち、本考案に係る上記粘土押し出し器は、上記操作レバーを下方へ回転させると、上記操作レバーに形成された上記粘土突き出し部が上記粘土押出孔部に挿入して粘土魂を押し出すことができる。
また、上記粘土押出孔部は全体を円弧状にカーブさせたことにより、上記投入口を斜め上向きにして粘土魂の投入を容易にするとともに、上記排出口を横向きにして粘土魂の取り出しも容易にしている。
【００１２】
また、本考案に係る上記粘土押し出し器にあっては、上記基板部の上面部において上記突出部の側方には、型部材を係合しうる型固定部が設けられるとともに、上記型固定部に配置される型部材が備えられ、上記型部材は、ケース状に形成された粘土収納部と蓋部とにより構成され、上記蓋部は上記操作レバーを下動させた際に押下されて粘土を押圧しうるように形成されていることを特徴とする。
【００１３】
すなわち、本考案に係る上記粘土押し出し器は、上記型固定部に、粘土魂を収納した上記型部材をセットして、上記操作レバーを下方へ回転させて、上記蓋部を押圧することにより、粘土魂に上記型部材の型部と同形の形状を付与することができる。
【００１４】
また、本考案に係る上記粘土押し出し器にあっては、上記型プレートを保管しうる型プレート収納部が上記基板部の下面側に設けられ、上記型プレート収納部を被覆しうる底カバーが上記基板部に着脱可能に取り付けられ、上記底カバーには、互いに形状が異なる複数の凹状の型部が形成されていることを特徴とする。
【００１５】
すなわち、本考案に係る上記粘土押し出し器は、上記底カバーを上記基板部から取り外して、上記基板部に設けられた上記型プレート収納部に不使用の型プレートを収納して保管することができる。
また、上記底カバーに設けられた上記型部を使用しても様々な形状の粘土魂を形成することができる。
【００１６】
また、本考案に係る上記粘土押し出し器にあっては、上記底カバーは上記基板部とは異なる滑りにくい樹脂により形成されていることを特徴とする。
【００１７】
すなわち、本考案に係る上記粘土押し出し器は、使用するために例えばテーブル等の上に置いた場合に、上記底カバーとテーブル表面との摩擦が大きくなるので滑りにくい。したがって、固定状態が安定し、動いて作業がしにくいという不具合がない。
【考案の効果】
【００１８】
請求項１記載の本考案に係る粘土押し出し器は、基板部と、上記基板部に対し変位可能な操作部と、上記基板部に形成され、粘土の投入口と排出口を両端に有する粘土押出孔部と、上記操作部に形成され、上記粘土押出孔部内に挿入可能で、上記粘土押出孔部内に上記投入口から収納された粘土を上記排出口から押し出し可能な粘土突き出し部とが設けられた粘土押し出し器であって、上記基板部に対し着脱可能で、互いに形状が異なる複数の型孔が形成された型プレートが備えられ、上記型プレートは、上記粘土押出孔部における上記排出口に上記型孔の一つを合致させた状態で上記基板部に装着しうるように形成されていることから、上記型プレートを上記基板部に装着することにより、上記型プレートに形成された複数の型孔を用いて様々な形状の粘土魂を容易に形成することができる。したがって、粘土で造形できる形状の範囲が拡大し、学童の創作意欲を高めることができる。
【００１９】
請求項２記載の本考案に係る粘土押し出し器は、上記操作部として操作レバーが設けられ、上記操作レバーは一端部が、上記基板部の上面の一端に設けられた突出部に、上下方向に回動可能に取り付けられていることから、上記操作レバーを下方へ回転させることにより容易に粘土を押し出すことができる。したがって、操作が容易で、学童でも簡単に操作して自由に様々な形状の粘土魂を形成することができる。
また、上記粘土押出孔部は、上記投入口が斜め上方を向いていることから、粘土の投入が容易である。また、上記排出口は横向きに形成されていることから、押し出された粘土魂を受け取りやすい。
また、上記粘土押出孔部は長さ方向に沿ってカーブした状態に上記突出部に形成され、上記粘土突き出し部は、上記操作レバーの下面部に突設され、上記粘土押出孔部に挿入しうるように全体が湾曲するように形成されていることから、上記粘土押出孔部の排出口を横向きにして下向きになるのを避けることができるので、押し出された粘土魂が下方へ落下するのを防止することができる。
【００２０】
請求項３記載の本考案に係る粘土押し出し器は、上記基板部の上面部において上記突出部の側方には、型部材を係合しうる型固定部が設けられるとともに、上記型固定部に配置される型部材が備えられ、上記型部材は、ケース状に形成された粘土収納部と蓋部とにより構成され、上記蓋部は上記操作レバーを下動させた際に押下されて粘土を押圧しうるように形成されていることから、上記型プレートを用いて断面が夫々異なる複数の粘土魂を形成できるのに加えて、上記型部材を使用して粘土魂の全体形状も型により形成することができるので、造形できる形状の範囲を拡大することができる。
【００２１】
請求項４記載の本考案に係る粘土押し出し器は、上記型プレートを保管しうる型プレート収納部が上記基板部の下面側に設けられ、上記型プレート収納部を被覆しうる底カバーが備えられていることから、上記型プレートは不使用時に上記型プレート収納部に収納して紛失しないように保管することができる。
また、上記型プレート収納部を上記基板部に形成する場合、蓋部を基板部と一体に可動しうるように形成すると、上記蓋部がスムースに作動せず、不良品になる可能性が高くなるが、本考案に係る上記底カバーは上記基板部に対し着脱可能に形成されていることから、
構造がシンプルで不良品になりにくい。
また、上記底カバーには、互いに形状が異なる複数の凹状の型部が形成されていることから、上記底カバーの型部を用いることにより、更に、形成できる粘土魂の形状の種類を増加することができる。
【００２２】
請求項５記載の本考案に係る粘土押し出し器は、上記底カバーは上記基板部とは異なる滑りにくい樹脂により形成されていることから、机上等に置いた場合に、上記底カバーが滑り止めとなって確実に固定できるので、粘土の押し出し作業中に動いたりせず、作業を安定的に行うことができる。
【考案を実施するための最良の形態】
【００２３】
以下、図面を用いて本考案の実施の形態について説明する。
本実施の形態に係る粘土押し出し器１１は、図1〜図３に示すように、基板部１２と、上記基板部１２に対し変位可能な操作部１３と、上記基板部１２に形成され、粘土の投入口１９と排出口２０を両端に有する粘土押出孔部１８と、上記操作部１３に形成され、上記粘土押出孔部１８内に挿入可能で、上記粘土押出孔部１８内に上記投入口１９から収納された粘土を上記排出口２０から押し出し可能な粘土突き出し部２２とが設けられた粘土押し出し器１１であって、図２に示すように、上記基板部１２に対し着脱可能で、互いに形状が異なる複数の型孔２４，２５，２６，２７が形成された型プレート２３が備えられ、上記型プレート２３は、上記粘土押出孔部１８における上記排出口２０に上記型孔２４，２５，２６，２７の一つを合致させた状態で上記基板部１２に装着しうるように形成されている。
また、図１〜図３に示すように、上記操作部１３として操作レバー１６が設けられ、上記操作レバー１６は一端部が、上記基板部１２の上面の一端に設けられた突出部１５に、上下方向に回動可能に取り付けられ、上記粘土押出孔部１８は、上記投入口１９が斜め上方を向き、上記排出口２０が横向きとなるように、長さ方向に沿ってカーブした状態に上記突出部１５に形成され、上記粘土突き出し部２２は、上記操作レバー１６の下面部２１に突設され、上記粘土押出孔部１８に挿入しうるように全体が湾曲するように形成されている。
また、図1及び図５に示すように、上記基板部１２の上面部１４において上記突出部１５の側方には、型部材４０を係合しうる型固定部４１が設けられるとともに、上記型固定部４１に配置される型部材４０が備えられ、上記型部材４０は、ケース状に形成された粘土収納部４２と蓋部４３とにより構成され、上記蓋部４３は上記操作レバー１６を下動させた際に押下されて粘土を押圧しうるように形成されている。
また、図３及び図４に示すように、上記型プレート２３を保管しうる型プレート収納部３３が上記基板部１２の下面側に設けられ、上記型プレート収納部３３を被覆しうる底カバー３４が上記基板部１２に着脱可能に取り付けられ、上記底カバー３４には、互いに形状が異なる複数の凹状の型部３６，３７，３８，３９が形成されている。
また、上記底カバー３４は上記基板部１２とは異なる滑りにくい樹脂により形成されている。
【実施例１】
【００２４】
図は実施例に係る粘土押し出し器１１を示したものである。
本実施例に係る粘土押し出し器１１は、図１に示すように、基板部１２と、上記基板部１２に対し変位可能な操作部１３とを有している。上記基板部１２と上記操作部１３はともにプラスチックにより成形されている。
【００２５】
上記基板部１２は、図１に示すように、長さ方向の一端の上面部１４に上方への突出部１５を有している。  上記操作部１３として操作レバー１６が形成され、上記操作レバー１６の一端が上記基板部１２における上記突出部１５に、軸１７により、上下方向へ回動可能に連結されている。
【００２６】
図１〜図３に示すように、上記基板部１２の上記突出部１５には粘土押出孔部１８が設けられている。上記粘土押出孔部１８は、一端に粘土の投入口１９が形成されるとともに、他端には粘土の排出口２０が形成されている。
【００２７】
図１に示すように、上記粘土投入口１９は斜め上向きに形成され、図２及び図３に示すように、上記粘土排出口２０は横向きに形成されている。すなわち、上記粘土押出孔部１８は、向きが変化するように、略円弧状にカーブしている。
【００２８】
図１及び図３に示すように、上記操作レバー１６の下面部２１には突き出し部２２が一体に形成されている。上記突き出し部２２も上記粘土押出孔部１８と同一の曲率で円弧状に湾曲するように形成されている。
上記突き出し部２２は、上記操作レバー１６を下方へ回転させた場合に、上記粘土押出孔部１８に挿入し、上記操作レバー１６を上方へ回転させた場合に、上記粘土押出孔部１８から脱出しうるように形成されている。
【００２９】
上記粘土押出孔部１８の投入口１９に粘土魂を挿入し、上記操作レバー１６を下方へ回転させて、図２及び図３に示すように、上記突き出し部２２を上記粘土押出孔部１８に挿入すると、粘土魂は上記排出口２０から押し出されることになる。
【００３０】
本考案の粘土押し出し器１１には、図２に示すように、プラスチック製の細長い板状の型プレート２３が備えられている。上記型プレート２３には、互いに形状が異なる複数の型孔２４，２５，２６，２７が形成されている。
なお、上記型プレートは、図は省略するが、複数枚が備えられている。
【００３１】
図２に示すように、上記型プレート２３は上記基板部１２に対し着脱可能に形成されている。
また、上記型プレート２３は、上記粘土押出孔部１８における上記排出口２０に上記型孔２４，２５，２６，２７の一つを合致させた状態で上記基板部１２に装着しうるように形成されている。
上記基板部１２における上記突出部１５において、上記粘土排出口２０が形成された側面部２８には、上記粘土排出口２０の上下位置に、上記型プレート２３の上縁部２９と下縁部３０が夫々スライド可能に係合しうるフック状の型プレート係止部３１，３２が設けられている。
【００３２】
図３に示すように、上記基板部１２の内部は空洞で、下方に開口し、上記型プレート２３を保管しうる型プレート収納部３３に形成されている。上記型プレート収納部３３は開口部３５を下方に有している。
【００３３】
図３に示すように、上記基板部１２の底には底カバー３４が装着されている。上記底カバー３４は上記基板部１２に対し着脱可能で、装着状態で、上記型プレート収納部３３の開口部３５を被覆しうるように形成されている。
【００３４】
上記底カバー３４には、図４に示すように、互いに形状が異なる複数の凹状の型部３６，３７，３８，３９が形成されている。
また、上記底カバー３４は上記基板部１２とは異なる滑りにくい樹脂により形成されている。
【００３５】
図１に示すように、上記基板部１２の上面部１４において上記突出部１５の側方には、凹状の型固定部４１が設けられている。
また、図５に示すように、上記型固定部４１に着脱可能な型部材４０が備えられている。
上記型部材４０は、ケース状に形成された粘土収納部４２と蓋部４３とにより構成されていて、上記蓋部４３には型穴部４４が形成されている。
上記型部材４０における上記蓋部４３は、上記粘土収納部４２の上に被せた状態で、上記操作レバー１６を下動させた際に押下されて、上記粘土収納部４２に盛り上がるように収納された粘土４５を上記型穴部４４に押し込むことにより、上記型穴部４４と同形の粘土魂を形成することができる。
【００３６】
以下に、上記実施例の作用について説明する。
まず、図２に示すように、上記基板部１２の突出部１５の上記側面部２８に形成された上記排出口２０の前に上記型プレート２３をセットする。
上記型プレート２３をセットするには、上記型プレート２３を上記側面部２８に沿って横方向にスライドさせることにより、上記型プレート係止部３１，３２に型プレート２３の上縁部２９と下縁部３０を係合させ、上記型プレート２３に形成された複数の型孔２４，２５，２６，２７の中から選択した一つの型孔２４，２５，２６，２７を上記排出口２０に合致させる。
【００３７】
次に、図１に示すように、上記操作レバー１６を上昇させて、上記基板部１２に設けられた上記粘土押出孔部１８に上記投入口１９から粘土魂を収納する。その後に、図２及び図３に示すように、上記操作レバー１６を下方へ回転させて、上記操作レバー１６に形成された上記粘土突き出し部２２を上記粘土押出孔部１８に挿入する。
上記操作により、上記粘土押出孔部１８に収納された粘土魂は上記粘土突き出し部２２に押されて上記排出口２０から押し出され、さらに、上記型プレート２３の型孔２４，２５，２６，２７を通過することにより、上記型孔２４，２５，２６，２７と断面が同形の粘土魂を形成することができる。
断面形状の異なる粘土魂を形成するには、上記型プレート２３をスライドして位置を変え、上記型孔とは異なる型孔を上記排出口２０に合致させればよい。
したがって、粘土魂を押し出すだけで様々な断面形状の粘土魂を容易に形成することができる。
【００３８】
上記型プレート２３は不使用時に、上記基板部１２に設けられた上記型プレート収納部３３に収納して保管することができる。その場合、上記基板部１２から上記底カバー３４を取り外す。このように底カバー３４を着脱式とすることにより、蓋を可動式にして上記基板部１２と一体に形成する場合に比べ、不良品発生率を低下させることができる。
【００３９】
また、図３及び図４に示すように、上記底カバー３４には複数の形状が異なる型部３６，３７，３８，３９が設けられているので、これら型部３６，３７，３８，３９を使用して、様々な形状の粘土魂を形成することもできる。
さらに、図１及び図５に示すように、上記基板部１２には上記型固定部４１が設けられ、上記型部材４０を上記型固定部４１に配置して上記操作レバー１６を下方へ回転させることにより、上記型部材４０で様々な形状の粘土魂を形成することもできる。
【産業上の利用可能性】
【００４０】
本考案は粘土を押し出して様々な形状にする用具に適用可能である。
【図面の簡単な説明】
【００４１】
【図１】本考案の実施例に係る粘土押し出し器を示すもので、操作レバーを上昇させた状態の斜視図である。
【図２】本考案の実施例に係る粘土押し出し器を示すもので、操作レバーを下降させた状態の斜視図である。
【図３】本考案の実施例に係る粘土押し出し器を示すもので、操作レバーを下降させた状態の、一部を断面とした側面図である。
【図４】本考案の実施例に係る粘土押し出し器における底カバーの斜視図である。
【図５】本考案の実施例に係る粘土押し出し器における型部材の斜視図である。
【符号の説明】
【００４２】
１１  粘土押し出し器
１２  基板部
１３  操作部
１４  上面部
１５  突出部
１６  操作レバー
１７  軸
１８  粘土押出孔部
１９  投入口
２０  排出口
２１  下面部
２２  粘土突き出し部
２３  型プレート
２４  型孔
２５  型孔
２６  型孔
２７  型孔
２８  側面部
２９  上縁部
３０  下縁部
３１  型プレート係止部
３２  型プレート係止部
３３  型プレート収納部
３４  底カバー
３５  開口部
３６  型部
３７  型部
３８  型部
３９  型部
４０  型部材
４１  型固定部
４２  粘土収納部
４３  蓋部
４４  型穴部
４５  粘土
【図１】
0003130280.tif 000003
【図２】
0003130280.tif 000004
【図３】
0003130280.tif 000005
【図４】
0003130280.tif 000006
【図５】
0003130280.tif 000007